(57)【要約】【課題】支持手段２１の占める左右方向スペースを比較的小さくなす上に、前側分草杆１９及び後側分草杆２０の機体からの横張り出し量を運転操作部から簡易な遠隔操作機構３４を介して簡便に変化させる。【解決手段】支持手段２１が機台２に前後向き支点軸２５回りの揺動可能に装着された支持台２６と、該支持台２６に第１縦軸２７回りの揺動可能に装着された第１アーム２８と、該第１アーム２８の先部から第２縦軸２９回りの揺動自在に延出され先部が少なくとも前記前側分草杆１９又は前記後側分草杆２０の何れか一方に枢着されているコンバインのサイドデバイダ。【選択図】図４
2006042650.tif 000002
【特許請求の範囲】
【請求項１】
刈取部（３）の未刈穀稈側に配置され前端を前記刈取部（３）に揺動変位自在に支持された前側分草杆（１９）と、前記刈取部（３）の後側に位置された機台（２）の未刈穀稈側に配置され後端を前記機台（２）に揺動変位自在に係着された後側分草杆（２０）とを具備し、且つ、前記機台（２）の前部に形成され前記前側分草杆（１９）の後端部と前記後側分草杆（２０）の前端部とを位置変更可能に支持する支持手段（２１）を具備してなるコンバインのサイドデバイダ（１８）において、前記支持手段（２１）が第１縦軸（２７）回りの揺動可能に装着された第１アーム（２８）と、該第１アーム（２８）の先部から第２縦軸（２９）回りの揺動自在に延出され先部が前記前側分草杆（１９）又は前記後側分草杆（２０）の少なくとも一方に枢着された第２アーム（３０）とから構成されていることを特徴とするコンバインのサイドデバイダ。
【請求項２】
前記第２アーム（３０）の先端部を支持接続部（３０ａ）となし、該支持接続部（３０ａ）の前部に前記前側分草杆（１９）の後端部を第３縦軸（３２）回りの揺動自在に枢着し、また該支持接続部（３０ａ）の後部に前記後側分草杆（２０）の前端部を第４縦軸（３３）回りの揺動自在に枢着したことを特徴とする請求項１記載のコンバインのサイドデバイダ。
【請求項３】
前記第１アーム（２８）が前記第２アーム（３０）よりも長くなされていて、前記第１縦軸（２７）回りの機台（２）横外方へ向かう角度位置から前記第１縦軸（２７）回りの機台（２）後方へ向かう角度位置との間で揺動変位されることを特徴とする請求項１又は２記載のコンバインのサイドデバイダ。
【請求項４】
前記第１アーム（２８）が前記機台（２）上の運転操作部（４）近傍に設けられた操作部材（３５）と連動連結されていて、該操作部材（３５）の操作により前記第１縦軸（２７）回りの任意な特定角度位置に変位される構成であることを特徴とする請求項２又は３記載のコンバインのサイドデバイダ。
【請求項５】
前記第１アーム（２８）を前記機台（２）後方へ向かう角度に揺動変位させたときに、前記第１アーム（２８）及び第２アーム（３０）が前記機台（２）上の脱穀部（５）の未刈穀稈側の外側縁部の下側に入り込む構成となされていることを特徴とする請求項１、２、３又は４記載のコンバインのサイドデバイダ。
【発明の詳細な説明】
【技術分野】
【０００１】
本発明はコンバインの未刈穀稈側に形成されたサイドデバイダに関する。
【背景技術】
【０００２】
刈取部の未刈穀稈側に配置され前端を前記刈取部に揺動変位自在に支持された前側分草杆と、前記刈取部の後側に位置された機台の未刈穀稈側に配置され後端を前記機台に揺動変位自在に係着された後側分草杆とを具備し、且つ、前記前側分草杆の後端部と前記後側分草杆の前端部とを位置変更可能に支持するための支持手段を具備し、該支持手段が機台に対し左右方向直線上での伸縮変位可能となされ且つ前後向き軸回りの揺動変位可能となされているコンバインのサイドデバイダは既に存在している（特許文献１参照）。
【０００３】
【特許文献１】特開平１１−２３５１１７号公報
【特許文献２】特開２００３−１２５６３２号公報
【発明の開示】
【発明が解決しようとする課題】
【０００４】
上記した在来のサイドデバイダでは、前記支持手段が機台に対し左右方向の直線上で伸縮変位されることに関連して、前記前側分草杆及び前記後側分草杆の機体からの横張り出し量が変化する構成であるため、前記支持手段の機台上で占める左右方向スペースが比較的大きくなるのである。
【０００５】
本発明は、前記支持手段の占める左右方向スペースを比較的小さくなす上に、前記前側分草杆及び前記後側分草杆の機体からの横張り出し量を運転操作部から簡易な遠隔操作機構を介して簡便に変化させることを可能としたコンバインのサイドデバイダを提供することを目的としている。
【課題を解決するための手段】
【０００６】
上記目的を達成するため、本発明は、請求項１に記載したように、刈取部の未刈穀稈側に配置され前端を前記刈取部に揺動変位自在に支持された前側分草杆と、前記刈取部の後側に位置された機台の未刈穀稈側に配置され後端を前記機台に揺動変位自在に係着された後側分草杆とを備え、且つ、前記機台の前部に形成され前記前側分草杆の後端部と前記後側分草杆の前端部とを位置変更可能に支持する支持手段を備えたコンバインのサイドデバイダにおいて、前記支持手段が第１縦軸回りの揺動可能に装着された第１アームと、該第１アームの先部から第２縦軸回りの揺動自在に延出され先部が前記前側分草杆又は前記後側分草杆の少なくとも一方に枢着された第２アームとから構成されているものである。
【０００７】
本発明は次のように具体化する。
即ち、請求項２に記載したように、前記第２アームの先端部を支持接続部となし、該支持接続部の前部に前記前側分草杆の後端部を第３縦軸回りの揺動自在に枢着し、また該支持接続部の後部に前記後側分草杆の前端部を第４縦軸回りの揺動自在に枢着した構成となす。
【０００８】
また請求項３に記載したように、前記第１アームが前記第２アームよりも長くなされていて、前記第１縦軸回りの機体横外方へ向かう角度位置から前記第１縦軸回りの機体後方へ向かう角度位置との間で揺動変位される構成となす。
【０００９】
また請求項４に記載したように、前記第１アームが前記機台上の運転操作部近傍に設けられた操作部材と連動連結されていて、該操作部材の操作により前記第１縦軸回りの任意な特定角度位置に変位される構成となす。
【００１０】
さらには請求項５に記載したように、前記第１アームを前記機台後方へ向かう角度に揺動変位させたときに、前記第１アーム及び第２アームが前記機台上の脱穀部の未刈穀稈側の外側縁部の下側に入り込む構成となす。
【発明の効果】
【００１１】
本発明によれば次のような効果が得られる。
即ち、請求項１記載のものによれば、第１アームが第１縦軸回りの横外方へ向かう角度位置と、第１縦軸回りの後方へ向かう角度位置との間範囲内で揺動されることにより、前側分草杆及び後側分草杆の機台に対する横外方への張り出し量が大小に変更されるものとなり、従って左右方向の直線上で伸縮変位する従来の支持手段の場合に較べ、支持手段の機台上で占める左右方向スペースを比較的小さくなすことができると共に、前側分草杆及び後側分草杆の機台に対する横外方への張り出し量を運転操作部から遠隔操作により大小に変化させるための遠隔操作機構を、操作ワイヤ及びこれを引張するための操作部材などで比較的簡易に形成することができるものである。
【００１２】
請求項２記載のものによれば、前側分草杆の後端部、或いは、後側分草杆の前端部とを単一部材からなる支持接続部により安定的に支持することができる。即ち、例えば図７に示すように、第２アーム３０の先端部を後側分草杆２０の前端部に縦軸３３ａ回りの揺動自在に枢着し且つ、前側分草杆１９の後端部と後側分草杆２０の前端部とを別途に縦軸３２ａ回りの揺動自在に結合した構造となした場合に較べて、前側分草杆１９の後端部のガタツキを小さくなすことができ、また図示はしていないが、第２アーム３０の先端部を前側分草杆１９の後端部に縦軸回りの揺動自在に枢着し且つ、前側分草杆１９の後端部と後側分草杆２０の前端部とを別途に縦軸３２ａ回りの揺動自在に結合した構造となした場合に較べて、後側分草杆２０の前端部のガタツキを小さくなすことができる。
【００１３】
請求項３記載のものによれば、機台上で支持手段の占める左右方向スペースを小さくなすことができると共に既存のコンバインの機台前部一側の空きスペースを有効に利用することができるのであり、また支持手段が刈取部側へ張り出さないものとなって、刈取部の保守点検の障害にならないものとなり、さらに第１アームが第２アームより長いことが、これらの長さ関係が逆の場合に較べて、第１アームの同じ揺動変位に対しサイドデバイダの機台横外方への張り出し量をより大きく変位させることができると共に、第２アームの左右向き縦面に沿う傾斜遊動に起因した前側分草杆及び後側分草杆の上下のガタツキをより小さくなすことができる。
【００１４】
請求項４記載のものによれば、運転操作部から操作部材を操作することにより前側分草杆及び後側分草杆の横外方への張り出し量を任意に変化させることができるのであり、また操作部材と第１アームとを操作ワイヤなどの簡易な手段により連動させることができるものである。
【００１５】
請求項５に記載したものによれば、後側分草杆を脱穀部の未刈穀稈側の外側縁部近傍に沿わせた状態に位置させることができ、また脱穀部の未刈穀稈側の外側縁部の下側に従来より存在している空きスペースを有効に利用することができる。
【発明を実施するための最良の形態】
【００１６】
図１〜図７は本発明に係るコンバインに関するもので、図１は平面図、図２は側面図、図３は正面図、図４は要部を示す平面図、図５は図４のｘ−ｘ部を示す図、図６は操作部材及び係止案内板を示す平面図、図７は変形例のコンバインを示す平面図である。図８は
図１〜図３に示すように、本発明に係るコンバインは、左右一対の走行クローラ１ａ、１ｂからなる走行部１、該走行部１に支持された機台２、そして、該機台２の前部に設けられた刈取部３を備えている。機台２上には運転席４ａを具備した運転操作部４、下部に選別部を具備した脱穀部５、機体後部の排藁処理部６、及び、下部から穀粒を流下させて袋詰めできるようになされた穀粒タンク７などが設けてある。
【００１７】
刈取部３は分草板８、引起こし装置９、掻込み装置１０、刈刃装置１１及び縦搬送部１２を備えており、これら全体が、機台２に支持された刈取主フレーム１３ａ及び刈取フレーム１３ｂを介し横向き支点軸１４回りへの上下揺動可能となされ、また分草板８、引起こし装置９、掻込み装置１０及び刈刃装置１１は一体状に結合されていている。
【００１８】
この際、各引起こし装置９は、後上り斜め方向へ配列され圃場に植立した各穀稈条列に対し作用するタイン９ａ群により穀稈を引き起こすものとなされている。掻込み装置１０は刈刃装置１１で刈り取られた穀稈を刈刃装置１１の左右巾中央へ掻き集めて縦搬送部１２へ送り込むもので、左右一対のベルト掻込み部１０ａ、１０ａと、左右一対のスターホイール１０ｂ、１０ｂからなる。縦搬送部１２は刈刃装置１１で刈り取られた刈取穀稈の株元部をフィードチェーン５ａへ向けて挟持搬送する株元側挟持搬送部１２ａと、その刈取穀稈の穂先部を扱室入り口５ｂへ向けて係止搬送する穂先側係止搬送部１２ｂとを具備したものとなされる。１５は扱胴、１６は供給ガイド、１７は排藁カッタである。
【００１９】
上記のように形成されたコンバインは、走行部１の作動により走行し、機体の前進中に分草板８が植立穀稈の条列間を移動して隣接した条列穀稈の絡みを解し、引起こし装置９がタイン９ａの上方への移動によりその対応した条列穀稈を引き起こし、刈刃装置１１がこのように引き起こされた穀稈の株元を切断し、次に縦搬送部１２がこうして刈り取られた刈取穀稈を後斜め上方へ搬送して脱穀部５に送り込み、脱穀部５がこの送り込まれた刈取穀稈を脱穀し、続いてこの脱穀により得られた穀粒や藁片の混合物を選別し、選りだした穀粒を穀粒タンク７へ向けて送り出し、一方では排藁処理部６が前記脱穀で生成された排藁を送り込まれ該排藁を寸断する等の処理を行うように作動する。穀粒タンク７内の穀粒はこれの下方に用意された籾袋内に落下される。
【００２０】
上記したコンバインについてさらに詳細に説明すると、機体の未刈穀稈側（左側）の側部にはサイドデバイダ１８が設けてある。該サイドデバイダ１８は刈取部３の側部に設けられた前側分草杆１９と、機台２の側部に設けられた後側分草杆２０と、機台２前部から横外方へ張り出し状に設けられ前記前側分草杆１９の後端部と前記後側分草杆２０の前端部とを支持する支持手段２１とを備えている。
【００２１】
前側分草杆１９は刈取部３に未刈穀稈が絡み付くのを防止するためのもので、刈取部３の左側の概ね前端下部から脱穀部５へ向けて斜め上りの横外方張り出し状に延出されると共に、自身の前端部を任意方向への傾斜自在に支持するための位置支持手段２２で特定位置に支持されている。
【００２２】
該前側分草杆１９は金属管からなる単一条部材からなっており、前側傾斜部ａ１と後側傾斜部ａ２とを有し、前端部がこれに固着された縦向き軸部材ａ３と、該縦向き軸部材ａ３を挿通され前後向き軸回りの揺動自在となされた板部材ａ４とを介して刈取フレーム１３ｂに支持され、後端には円形結合部材ａ５を固着され、該円形結合部材ａ５に縦向きの透孔を形成されている。
【００２３】
後側分草杆２０は前進時には走行部１と脱穀部５など、後進時には走行部１、脱穀部５及び刈取部３などに未刈穀稈が絡み付くのを防止するためのもので金属管からなる単一条部材からなっている。該後側分草杆２０は機台２の未刈穀稈側に設けられており、後端部を走行部１の後端近傍となる機台２個所に形成された位置支持手段２３を介して係着され、該係着個所から前方へ向け略水平状に且つ機台２横外方への張り出し状に延出されたものとなされている。位置支持手段２３は、機台２の側部に平面視コ字形の支持片２３ａを固着して、該支持片２３ａの前後の外方突出部間に前後向きの支持棒部材２３ｂを架設し、一方では後側分草杆２０の後端に環状部材ｂ１を固着し、該環状部材ｂ１を支持棒部材２３ｂに遊嵌させた構成としている。該後側分草杆２０の前端部には円形結合部材ｂ２が固着されており、該円形結合部材ｂ２に縦向きの透孔が形成されている。
【００２４】
図４及び図５などに示すように、支持手段２１は機台２の未刈穀稈側の前端部に固定された左右向き固定板２４と、該左右向き固定板２４に前後向き支点軸２５回りの揺動可能に装着された支持台２６と、該支持台２６に第１縦軸２７回りの揺動自在に装着された第１アーム２８と、該第１アーム２８の先部から第２縦軸２９回りの揺動自在に延出された第２アーム３０とを備えたものとなされている。
【００２５】
支持台２６は水平面部２６ａと垂直面部２６ｂとを具備しており、垂直面部２６ｂの後面は左右向き固定板２４の前面に当接され、垂直面部２６ｂと左右向き固定板２４とは前後向き支点軸２５を介して該支点軸２５回りの揺動変位自在に結合されており、一方では前後向き支点軸２５から前記機台２の外方側へ離れた垂直面部２６ｂ個所に前後向きボルト３１が固定され、該ボルト３１に対応した左右向き固定板２４個所に、前後向き支点軸２５を曲率中心とした円弧形状の透孔２４ａが形成され、該透孔２４ａに前後向きボルト３１が挿通されており、左右向き固定板２４の後側となる前後向きボルト３１個所に座金ｃ１、ｃ２を介して圧縮スプリングｃ３が外嵌状に装着されており、左右向き固定板２４と支持台２６とは支持台２６に特定大きさ以上の前後向き支点軸２５回りの外力が作用したとき、支持台２６が圧縮スプリングの弾力による摩擦力に抗して前後向き支点軸２５回りへ揺動変位され、前記外力が除去されたとき支持台２６が圧縮スプリングｃ３の弾力による摩擦力で左右向き固定板２４に固定されるようになされている。
【００２６】
第２アーム３０の先端部は正面視コ字形の支持接続部３０ａとなされており、該支持接続部３０ａの先端縁ｄ１は平面視において図４に示すように第２アーム上の特定直線ｍ１に合致されていて、該第２アーム３０が図４中で実線で示すように揺動された状態と仮想線で示すように揺動された状態との間の任意位置において出来るだけ穀稈が引っ掛からないような傾斜が得られるようになされている。支持接続部３０ａの前部の内方空間には前側分草杆１９の後端の円形結合部材ａ５が挿入され、該円形結合部材ａ５の透孔に挿通された第３縦軸３２を介して支持接続部３０ａの前部に枢着されており、また支持接続部３０ａの後部の内方空間には後側分草杆２０の前端の円形結合部材ｂ２が挿入され、該円形結合部材ｂ２の透孔に挿通された第４縦軸３３を介して接続部３０ａの後部に枢着されている。
【００２７】
従って、第１アーム２８が第１縦軸２７回りへ揺動されることにより第２アーム３０が前側分草杆１９の位置規制作用との関連で第２縦軸２９回りへ揺動され、該揺動に関連して前側分草杆１９の後端部及び後側分草杆２０の前端部がそれぞれの位置支持手段２２、２３を略々変位中心として機台２内外方へ揺動変位される。この際、第１アーム２８が第２アーム３０よりも長いことは、第１アーム２８が第２アーム３０よりも短い場合に較べて、第１アーム２８の同一の揺動変位に基づいて前側分草杆１９の後端部及び後側分草杆２０の前端部が比較的大きく左右へ変位されるようになると共に、第１アーム２８と第２アーム３０との第２縦軸２９による結合個所の遊隙に起因して生じる左右向き縦面に沿う第２アームの傾斜変位により生じる接続部３０ａの上下方向の遊動量を少なくする上で寄与する。
【００２８】
第１アーム２８は運転操作部４から遠隔操作手段３４を介して第１縦軸２７回りへ揺動変位されるようになされている。該遠隔操作手段３４は運転操作部４近傍のサイドコラム４ｂ上部に設けられた操作部材３５と、第１アーム２８の基端から張り出させた前側板片２８ａとを案内用アウター３６に案内される操作ワイヤ３７で連結すると共に、操作部材３５近傍にこれの揺動位置を規制するための係止案内板３８を設けるほか、第１アーム２８の基端から張り出させた後側板片２８ｂにスプリング３９による引き力を付与したものとなされている。
【００２９】
図１及び図６に示すように、係止案内板３８は操作部材３５を案内する前後向きの案内溝ｇを有しており、該案内溝ｇはこれの後端位置がサイドデバイダ１８の機台２横外方の張り出し量ｅ１を最小にする収納位置ｐ１となされ、また前側を張り出し位置Ｐ２となされており、該張り出し位置Ｐ２の前後方向上の複数個所には、操作部材３５を係入され操作部材３５の前後揺動を規制するものとした係止凹み部ｇ１、ｇ２、ｇ３が形成されており、これら複数の係止凹み部ｇ１、ｇ２、ｇ３は前側のものほど、サイドデバイダ１８の張り出し量ｅ１を大きくするものとなされている。
【００３０】
操作部材３５は自由状態のとき、スプリング３９の引き力により、収納位置ｐ１に位置され、このとき、第１アーム２８、第２アーム３０、前側分草杆１９及び後側分草杆２０が図１中に実線で示すような収納状態となり、一方、操作部材３５をスプリング３９の引き力に抗して張り出し位置ｐ２に位置させたときは、操作部材３５の変位が操作ワイヤ３７を介して第１アーム２８に伝達され、第１アーム２８、第２アーム３０、前側分草杆１９及び後側分草杆２０が図１中に仮想線ｋで示すような張り出し状態となる。
【００３１】
なお図１〜図３に示すように、機体の既刈り穀稈側（右側）の側部にもサイドデバイダ４０が設けてある。該サイドデバイダ４０は刈取部３に未刈穀稈が絡み付くのを防止するためのもので、直状の単一条部材からなる分草杆４１を備えており、該分草杆４１の後端部を機体中心側へ屈曲されている。該分草杆４１は刈取部３の右側の概ね前端下部から運転操作部４へ向けて後上がり横外方へ張り出し状に延出され、自身の前端部を位置支持手段４２を介して任意方向の傾斜変位自在に支持されており、その後端部は運転操作部４下方の機台２部分に下方への張り出し状に固定されたＵ字形棒部材４３の内方側の空所内に任意方向への傾斜変位自在に且つ該分草杆４１の長手方向への相対変位自在に挿通されている。
【００３２】
次に上記サイドデバイダ１８の使用例及び作用などについて説明する。
植立穀稈ｗを機体の左側に位置させて通常の刈取を行うときは、作業者は運転席４ａに座った状態で、操作部材３５を前側へ揺動操作して張り出し位置ｐ２に位置させ、係止案内板３８の係止凹み部ｇ１、ｇ２、ｇ３の任意な１つに掛け止める。ここでは例示的に符号ｇ２の個所に掛け止めるものとする。これにより、第１アーム２８が操作ワイヤ３７を介して第１縦軸２７回りの張り出し側へ揺動され、サイドデバイダ１８は図１に仮想線ｋで示すような張り出し状態となる。この際、植立穀稈ｗの各条列は刈取部３に対し図１中の符号ｐ１で示す位置に対応させる。この状態の下で、機体を進行させると、最左方の分草板８は未刈穀稈を左右に掻き分けてこれを刈取側と非刈取側とに分草するのであり、このように分草された未刈穀稈は機体の進行に伴って刈取部３の側部を後方へ向けて相対移動する。この移動中、前側分草杆１９の前側傾斜部ａ１及び後側傾斜部ａ２は漸次高くなりつつ未刈穀稈に当接し、これら穀稈を次第に大きく機体の横外方へ押し寄せるように作用する。一方、後側傾斜部ａ２の内方側では、縦搬送装置１２が刈取穀稈を起立姿勢から左右向き姿勢に変化させてその株元をフィードチェーン５ａの搬送始端部に送り込むのであり、この際、後側傾斜部ａ２が大きく張出されていることから、刈取穀稈の株元は前側分草杆１９や非刈取側の未刈穀稈と干渉することはない。
【００３３】
未刈穀稈が支持接続部３０ａを過ぎて後側分草杆２０に達すると、以後は後側分草杆２０に横外方へ押されつつ後方へ相対移動する。後側分草杆２０は未刈穀稈の概ね機台２高さ位置を横外方に押すように作用するのであり、これにより未刈穀稈は走行部１で踏み倒されたり走行部１や機台２などに絡み付いて傷められるのを防止される。後側分草杆２０の機台２外方への張り出し量は機体の後側へ向けて漸次減少するため、後側分草杆２０で横外方へ押された未刈穀稈はこの状態を保持されつつ機体の後側へ移動するに伴って自身の弾力で次第に起き上がる。未刈穀稈が後側分草杆２０の後端部に達したとき、該未刈穀稈に対する後側分草杆２０の案内作用は終了し、未刈穀稈は自由状態で立ち上がった状態に戻る。このとき走行部１や機台２は既にこの起き上がった未刈穀稈よりも前方に位置しているため、該未刈穀稈が走行部１や機台２などに絡み付くことは生じない。
【００３４】
このような刈取進行中、機体を後進させることが必要となることがあるが、この場合はサイドデバイダ１８は未刈穀稈を前進時とは逆順に案内するのであり、即ち、未刈穀稈は先ず後側分草杆２０に当接して前方へ相対移動しつつ横外方へ次第に大きく押し寄せられ、やがて支持接続部３０ａに達する。この後、前側分草杆１９が該未刈穀稈を順次に機体前方へ案内し、この案内過程では、前側分草杆１９の刈取部３外方への張り出し量が機体の前側へ向けて漸次減少するため、未刈穀稈は徐々に機体に近接し、遂には刈取部３から機体前方へ離れるものとなる。従って、この後進の場合も未刈穀稈は走行部１や刈取部３に踏み倒されたり絡み付くことによって傷められるのを防止される。
【００３５】
上記のようなサイドデバイダ１８の使用中、同じ圃場内であっても、未刈穀稈の倒伏の度合いなどに応じて、サイドデバイダ１８の張り出し量ｅ１や支持接続部３０ａ近傍の地上高さｅ２を変更しなければならないことがある。特に張り出し量ｅ１を変更する処理は穀稈の殻長の大小によって縦搬送装置１２やフィードチェーン５ａから株元の出代が異なるため未刈穀稈との干渉をさける目的で実際上比較的多く行われるが、このとき作業者は運転席４ａに座したままで操作部材３５を揺動操作し係止案内板３８を介して適当な揺動位置に係止させる。例えばサイドデバイダ１８の張り出し量ｅ１を増大させたいときには操作部材３５をスプリング３９の引き力に抗して一層前側へ揺動変位させて係止凹み部ｇ１に係止させるのであり、これにより前側分草杆１９の後端部及び後側分草杆２０の前端部の機台２横外方への張り出し量が増大する。逆にサイドデバイダ１８の張り出し量ｅ１を減少させたいときには操作部材３５を一層後側へ揺動変位させて係止凹み部ｇ３に係止させるのであり、これにより前側分草杆１９の後端部及び後側分草杆２０の前端部の機台２横外方への張り出し量が減少する。またサイドデバイダ１８の地上高さｅ２を変更するときは前側分草杆１９、後側分草杆２０又は支持接続部３０ａ或いは、第１アーム２８又は第２アーム３０などを手で持ってこれに特定大きさ以上の操作力を付与して上下変位させるのであり、これにより第１アーム２８及び第２アーム３０はスプリングｃ３の弾力に基づく摩擦抵抗に抗して支持台２６と一緒に前後向き支点軸２５回りへ揺動され、前側分草杆１９の後端部及び後側分草杆２０の前端部の地上高さが変化する。サイドデバイダ１８の地上高さｅ２が希望する大きさとなったとき、サイドデバイダ１８への操作力の付与を除去するのであり、これにより支持台２６、第１アーム２８及び第２アーム３０の前後向き支点軸２５回りの変位はスプリングｃ３の弾力に基づく摩擦抵抗で係止された状態となる。
【００３６】
上記した張り出し量ｅ１の変更と地上高さｅ２の変更とを組み合わせて行うと、サイドデバイダ１８は任意な地上高さｅ２での任意な張り出し量ｅ１に設定されるものとなるのであり、また第１アーム２８などが左右方向へ傾斜された状態の下で、操作部材３５が揺動操作されると、サイドデバイダ１８は第１アーム２８の揺動変位のみにより張り出し量ｅ１と地上高さｅ２とを同時に変更されるものとなる。
【００３７】
また植立穀稈を中割り状に刈り取るときは次のように行う。
即ち、機体左右のサイドデバイダ１８、４０は図３に示す状態となし、また植立穀稈ｗの各条列は刈取部３に対し図１中の符号ｐ２で示す位置に対応させるように機体位置を調整するのであり、この状態で各部を刈取作動させる。この際、機体左側のサイドデバイダ１８は上述と同様に作用し、最左方の分草板８は未刈穀稈を左右に掻き分けてこれを刈取側と非刈取側とに分草し、さらに機体右側のサイドデバイダ４０は、機体の前進に伴って非刈取側の未刈穀稈を横外方へ徐々に大きく押し寄せ、未刈穀稈がサイドデバイダ４０を過ぎた後は機体自身がサイドデバイダ４０から受け継いだ未刈穀稈を同様に横外方への押し寄せた状態を維持するのであり、これにより非刈取側の未刈穀稈は走行部１に踏み倒されたり接触して傷つけられるのを防止されるものとなる。
【００３８】
上記した実施形態は次のように変形できる。
図７に示すように、前側分草杆１９の後端部と後側分草杆２０の前端部とを縦軸３２ａ回りの揺動変位自在に枢結し、一方では第２アーム３０の先部を後側分草杆２０の前端部に縦軸３３ａ回りの揺動変位自在に枢着するか或いは、図示はしていないが第２アーム３０の先部を前側分草杆１９の後端部に縦軸回りの揺動変位自在に枢着する。これによっても先の実施形態に準じた効用が得られる。
【参考例】
【００３９】
図８はサイドデバイダ１８の異なる形態を示すものである。以下の説明において、先の実施形態と実質的に同一部位には同一の符号を用いるものとする。
前側分草杆１９と後側分草杆２０のそれぞれは共に前端部１９ａ、２０ａ及び後端部１９ｂ、２０ｂを金属などの硬質材で形成され、比較的長い中央部分１９ｃ、２０ｃを弾性伸縮変形自在なゴム質材で形成されている。そして、前側分草杆１９の前端部１９ａは刈取部３の特定個所に、そして後側分草杆２０の後端部２０ｂは機台２後部の特定個所に任意方向への傾斜変位可能に枢着されており、また前側分草杆１９の後端部１９ｂと後側分草杆２０の前端部２０ａは一体状に結合され、該結合個所ｈから機台２側へ向け硬質材からなる支持アーム３０ｂが延出され、この支持アーム３０ｂが機台２に支持されて左右方向の外方へ直線状に出入り変位可能となされ且つ前記前後向き支点軸２５回りへ揺動変位可能となされている。
【００４０】
このように形成されたサイドデバイダ１８は、使用時には、支持アーム３０ｂが実線で示すように機台２外方まで張り出され、このとき各中央部分１９ｃ、２０ｃが伸長されて緊張された状態となるのであり、不使用時には、点線ｊで示すように、支持アーム３０ｂが機台２側へ変位され、各中央部分１９ｃ、２０ｃが短縮され弛緩した状態となる。また張り出し量ｅ１を変化させるには支持アーム３０ｂの左右位置を変化させ、一方、地上高さｅ２を変化させるには支持アーム３０ｂを前記前後向き支点軸２５回りへ傾斜変位させる。
【００４１】
このサイドデバイダ１８における支持アーム３０ｂを除去し、先の実施形態の支持手段２１における第２アーム３０の先端部を前側分草杆１９の後端部又は後側分草杆２０の前端部の少なくとも何れか一方に縦軸回りの揺動自在に枢着するようになすことも可能であり、これによっても先の実施形態に準じた効用が得られる。
【図面の簡単な説明】
【００４２】
【図１】本発明に係るコンバインの平面図である。
【図２】上記コンバインの側面図である。
【図３】上記コンバインの正面図である。
【図４】上記コンバインの要部を示す平面図である。
【図５】図４のｘ−ｘ部を示す図である。
【図６】上記コンバインの操作部材及び係止案内板を示す平面図である。
【図７】上記コンバインの変形例を示す図である。
【図８】参考例のコンバインを示す平面図である。
【符号の説明】
【００４３】
２  機台
３  刈取部
４  運転操作部
１８  サイドデバイダ
１９  前側分草杆
２０  後側分草杆
２１  支持手段
２５  前後向き支点軸
２６  支持台
２７  第１縦軸
２８  第１アーム
２９  第２縦軸
３０  第２アーム
３０ａ  支持接続部
３２  第３縦軸
３３  第４縦軸
３５  操作部材
【図１】
2006042650.tif 000003
【図２】
2006042650.tif 000004
【図３】
2006042650.tif 000005
【図４】
2006042650.tif 000006
【図５】
2006042650.tif 000007
【図６】
2006042650.tif 000008
【図７】
2006042650.tif 000009
【図８】
2006042650.tif 000010